(57)【要約】【課題】眼球や周囲組織への安全性、個体差を吸収して多くの人に適用可能な汎用性、他のドレープを不用とするなどの利便性を備えると共に、術野に溜まる水や分泌物を、人手を掛けずに容易かつ確実に排除することのできるドレープ付き開瞼器を提供すること。【解決手段】眼瞼を囲繞し、顔面に接して装着される可撓性を有する上リングと、結膜嚢内に挿入され、瞼結膜側に接して装着される下リングと、柔軟な筒型薄膜の端部の一方を前記上リングへ、他方を下リングへ各々取り付け、顔面側から瞼結膜側にかけて位置する弾性シートとにより構成され、前記弾性シートの最小部の外径を、瞼裂（上眼瞼と下眼瞼の間）とほぼ同等とするか、あるいは、大きく形成してなる開瞼器において、弾性シートの一部を親水性処理したり、あるいは、吸水性材料を付設したりすることにより、術野に溜まる排液を外部に自然排出可能な排液通路を形成して構成した。【選択図】  図１
2011055990.tif 000002
【特許請求の範囲】
【請求項１】
眼瞼を囲繞し、顔面に接して装着される可撓性を有する上リングと、
結膜嚢内に挿入され、瞼結膜側に接して装着される下リングと、  
柔軟な筒型薄膜の端部の一方を前記上リングへ、他方を下リングへ各々取り付け、顔面側から瞼結膜側にかけて位置する弾性シートより構成し、
前記弾性シートの最小部の外径を、瞼裂（上眼瞼と下眼瞼の間）とほぼ同等とするか、あるいは、大きく形成してなる開瞼器において、
前記弾性シートの一部に、術野に溜まる排液を術野外部に自然排出可能な排液通路を備えることを特徴とするドレープ付き開瞼器。
【請求項２】
前記上リング及び下リングは、円形または楕円形、あるいは楕円類似形状に形成される請求項１のドレープ付き開瞼器。
【請求項３】
前記下リングの最大直径部は、前記上リングの最大直径部の２５％以上、６０％以下の長さに形成される請求項1乃至２のいずれかのドレープ付き開瞼器。
【請求項４】
前記弾性シートは、透明あるいは半透明である請求項１乃至３のいずれかのドレープ付き開瞼器。
【請求項５】
前記弾性シートは、引張り伸び率６００％以上の樹脂より形成する請求項１乃至４のいずれかのドレープ付き開瞼器。
【請求項６】
前記弾性シートに備える排液通路の部分は親水性に形成され、他の部位は疎水性に形成されてなる請求項１乃至５のいずれかのドレープ付き開瞼器。
【請求項７】
前記排液通路の親水性は、前記弾性シートの排液通路となる部位の表面を親水性化処理することにより形成する請求項６のドレープ付き開瞼器。
【請求項８】
前記弾性シートに備える排液通路の部分は吸水性材料を付設し、他の部位は疎水性に形成されてなる請求項１乃至５のいずれかのドレープ付き開瞼器。
【請求項９】
前記吸水性材料は、吸引スポンジである請求項８のドレープ付き開瞼器。
【発明の詳細な説明】
【技術分野】
【０００１】
本発明は、眼科における内眼手術のさいに、感染予防の観点から睫毛等を術野に出さないため、及び、手術中の視野を確保しておくため、眼瞼を開いた状態で保持するドレープ機能を有する開瞼器に関する。
【背景技術】
【０００２】
眼科における眼球への手術や治療のさいには、瞼を上下に強制的に開いた状態に置き、術野を確保する必要があり、そのための器具として開瞼器が用いられる。従来の開瞼器としては、金具などのフック部分を上眼瞼及び下眼瞼に引っ掛けて、上下に引張り、瞼を大きく開いた状態に維持するもの等が一般的であったが、開瞼器の一部を結膜嚢内に挿入して用いる器具として、顔面に接して装着される可撓性を有する上リングと、結膜嚢内に挿入され瞼結膜側に接して装着される下リングと、端部の一方を前記上リングへ、他方を下リングへ各々拡張等して取り付けて、顔面側から瞼結膜側にかけて位置させる柔軟な筒型薄膜の弾性シートとにより構成し、該弾性シートの最小部の外径を、瞼裂（上眼瞼と下眼瞼の間）とほぼ同等とするか、あるいは、大きく形成してなる器具であって、該器具に取り付けるなどしたチューブにより術野に溜まる水や分泌物を外部に排液するとしたドレープ機能を備えた開瞼器が本発明者らにより提案された。（特許文献１）
【先行技術文献】
【特許文献】
【０００３】
【特許文献１】WO２００８／０５６６６２号公報
【発明の概要】
【発明が解決しようとする課題】
【０００４】
前記文献１の開瞼器は、フックを引っ掛けるなどする開瞼器に比較して、眼球や周囲組織への負担が少なく安全で、また、感染防止のため、睫毛やマイボーム腺を術野に出さないように覆うドレープが不要となるなど装着が容易であるといった点、また、個体差を吸収して眼瞼や顔面にフィットさせての開瞼を可能とするなど多くの利点を備える器具であるが、手術中眼球の乾燥防止や血液の洗浄のために注入され、手術部に溜まってしまう水や分泌物を外部に排液するための手段として、従来と同様にチューブを用いており、この排液のためには吸引器が必要となること、また、排液チューブの操作や吸引器の操作に人手が必要となるといった問題がある。また、吸引操作時のチューブの存在が眼球という狭い術野を一層狭くする可能性があり、操作によっては手術を停滞させるなど障害となることが懸念される。
【０００５】
そこで、本発明は、前記開瞼器の利点である、眼球や周囲組織への安全性、ドレープを不要とするなどの手術の容易性、個体差を吸収して多くの人にフィットする利便性をそのままに、術野に溜まる水や分泌物を、人手を掛けずに容易かつ確実に排除することのできるドレープ付き開瞼器を提供することを課題とした。
【課題を解決するための手段】
【０００６】
本発明のドレープ付き開瞼器は、眼瞼を囲繞し、顔面に接して装着される可撓性を有する上リングと、結膜嚢内に挿入され、瞼結膜側に接して装着される下リングと、柔軟な筒型薄膜の端部の一方を前記上リングへ、他方を下リングへ各々取り付け、顔面側から瞼結膜側にかけて位置する弾性シートとにより構成され、前記弾性シートの最小部の外径を、瞼裂（上眼瞼と下眼瞼の間）とほぼ同等とするか、あるいは、大きく形成してなる開瞼器において、前記弾性シートの一部に、術野に溜まる排液を外部に自然排出可能な一連の排液通路を備えて構成する。
【０００７】
また、各部は次の構成とすることが好ましい。
・上リング及び下リングは、円形または楕円形、あるいは、楕円類似形状に形成する。
尚、楕円類似形状とは、楕円の定義からは外れているが、全体としての概観が楕円に類似して見える形状を示し、例えば、弾性体円形リングを２方向から押しつぶす、あるいは引っ張って形成される形状を示している。
・下リングの最大直径部は、上リングの最大直径部の２５％以上、６０％以下の長さに形成する。
・弾性シートは、透明あるいは半透明なシートより形成する。
・弾性シートは、引張り伸び率６００％以上の樹脂より形成する。
【０００８】
また、前記弾性シートに備える排液通路は、該排液通路の部分は親水性に形成し、他の部位は疎水性に形成する。具体的には、弾性シートは疎水性材料で形成し、排液通路となる部位のシート表面を、親水性物質でコーティングする、親水性物質をグラフト重合処理する、または、プラズマ重合処理による薄膜形成するなどにより親水性化処理して形成する。
あるいは、前記弾性シートに備える排液通路の部分に吸水性材料を付設し、他の部位は疎水性に形成する。具体的には、弾性シートは疎水性材料で形成し、排液通路となる部位に高親水性吸水スポンジ、あるいは、高親水性シートを付設して構成する。
【発明の効果】
【０００９】
本発明のドレープ付き開瞼器によると、従来の特許文献１の開瞼器の主要構成はそのままに、弾性シートの一部に、術野に溜まる排液を外部に自己排出可能な一連の排液通路を備えて構成することにより、従来の眼球や周囲組織への安全性、ドレープを不要とするなどの手術の容易性、個体差を吸収してフィットする利便性に加え、手術中眼球の乾燥防止や血液の洗浄のために注入され、手術部に溜まってしまう水や分泌物を、該排液通路を通じて外部に自然排出することが可能となり、チューブ等の吸引管や吸引器、及び、該吸引器やチューブを操作する人手が不用となり、また、チューブにより術野が隠される懸念もなくなることで、クリアな術野を確保するための排液処理を、人手を必要としない容易で、かつ、確実なものとすることができる。
また、弾性シートを疎水性素材により形成し、排液通路のみを親水性に形成したり、吸収性材料で形成したりすると、疎水性部位で撥水される排液が親水性の通路部あるいは吸収性材料の通路部に自然に集液され、該通路を通って術野外部に自然排出されることで一層の排液効果が期待できる。
【図面の簡単な説明】
【００１０】
【図１】本発明の第一の実施の形態を示す全体構成図。（正面図、底面図）
【図２】前記実施の形態の一部断面図。
【図３】前記実施の形態の変形例を示す底面図。
【図４】本発明の第二の実施の形態を示す全体構成図。（正面図、底面図）
【図５】本発明の第三の実施の形態を示す一部断面図。
【発明を実施するための形態】
【００１１】
以下、本発明の実施の形態につき図面を参考にしながら詳細に説明する。
図１は、本発明の第一の実施の形態を示すドレープ付き開瞼器の全体構成図（Ａが正面図、Ｂが底面図）で、図２はその一部断面図を示している。
本実施の形態のドレープ付き開瞼器は、眼瞼に装着したさいに、顔面側に位置する上リング１と、結膜嚢内に挿入される（瞼結膜側に位置する）下リング２と、両端部を前記上リング１と下リング２に取り付けた顔面側から結膜嚢に位置する、ドレープの役割も兼ねる弾性シート３により構成され、該弾性シート３の一部に、術野となる開口部４から上リング１までを一連につなぐ排液通路３１が形成されてなる。
【００１２】
上リング１は、下リング２を結膜嚢内に挿入するさいの操作性（後記）、あるいは、眼瞼に装着したさいに顔面形状にフィットして変形可能なように、２つ折れ可能の程度で、かつ、形状復元可能な可撓性を有する樹脂等（本例においては、ポリアセタール樹脂）により、薄い（０．６ｍｍ〜１．２ｍｍ程度、実施例では、１．０ｍｍ）楕円形状あるいは楕円類似形状（以下、楕円形状）のリング状プレートとして形成した上プレート１１に、後記する弾性シート３の一方端部を拡張して、前記上プレート１１全周囲を被覆し、溶着あるいは接着して取付け形成されるもので、そのリングのサイズは特定するものではないが、一般的な大人への使用を考慮し、また、本用途に適合してドレープ機能を満足させ、顔面にフィットして使用しやすい大きさとして、楕円の長径５０ｍｍ〜８０ｍｍ程度（本例では、６５ｍｍ）、短径４５ｍｍ〜７５ｍｍ程度（本例では、６２ｍｍ）として形成した。また、上プレート１１の幅を１ｍｍ〜３ｍｍ程度（本例では、２．１ｍｍ）とした。
【００１３】
下リング２は、瞼結膜側（結膜嚢）に挿入したさいの装着安定性を考慮して、比較的硬質な樹脂（本例においては、ポリアセタール樹脂）等により、薄い（０．５ｍｍ〜１．０ｍｍ程度、実施例では、０．８ｍｍ）楕円形状のリング状プレートとして形成した下プレート２１に、前記上リング１と同様に弾性シート３のもう一方の端部を僅かに拡張して被覆し、溶着あるいは接着により取付けて形成されるもので、そのリングのサイズは特定するものではないが、一般的な大人への使用を考慮したとき、結膜嚢内への無理のない挿入と、手術に十分な視野の展開が可能で、かつ、装着したさい安定して保持可能な大きさとして、楕円の長径２０ｍｍ〜３０ｍｍｍ（本例では、２５ｍｍ）、短径１８ｍｍ〜２８ｍｍ（本例では、２３ｍｍ）として形成した。また、下プレート２１の幅を０．８ｍｍ〜１．５ｍｍ程度(本例では、１．２ｍｍ)とした。
尚、該下リング２と上リング１の大きさは、前記した各々の役割を考慮して、下リング２の最大直径部は、上リングの最大直径部の２５％以上、６０％以下として形成すると適切な大きさとなる。
【００１４】
弾性シート３は、強い疎水性を有し、柔軟で十分な引張り伸び率（６００％以上、実施例においては、８００％）を備えた、厚さ０．１８ｍｍ以上、０．３８ｍｍ以下程度（本例では、０．２５ｍｍ）の薄膜状で半透明のシリコーンゴムからなる円筒体のシートとして形成し、前記の通り、一方端部は上プレート１１と、他方端部は下プレート２１と、それぞれの端部を拡張して取り付けて構成し、各々のプレート１、２に取り付けたさいに、上プレート側の表側を形成する表面の一部（眼瞼に装着したさいに目尻側にあたる位置）に、術野となる中心の開口部４から辺縁となる上リング１までをつなぐ幅０．５ｍｍ〜１５ｍｍ程度（本例においては、８ｍｍ）の帯状の範囲に後記するような手段で親水性加工を施した排液通路３１を設けて本発明のドレープ付き開瞼器の一例とした。
尚、上下のプレートに取付ける前の該円筒体の弾性シート３の形状は、特定するものではないが、本例においては、製造時に該プレートへの取り付けを容易とするため、上プレート１１に取付ける側の径は大きく、下プレート２１に取付ける側の径は小さく形成された円筒状シートを用いている。即ち、下プレート２１に取り付ける側となる、下部の半分程度は径が小さく一定の円筒状に形成され、上プレート１１に取付ける側となる、上部の半分程度は、前記下側の円筒の径から、放射状に径を拡大して成形されたシートを使用した。
また、前記下半分の円筒の内径は、瞼を開いた状態に維持するといった目的から当然、上眼瞼と下眼瞼の間の瞼裂と同等か、あるいは、大きく形成されるが、本例においては適正な大きさとして２０ｍｍとした。そして、この大きさはそのまま開瞼器の開口部４の大きさとなっている。
尚、本例では、上リング１、下リング２を楕円形状に形成しているため、該開口部４は、眼瞼に装着されていない自然状態にあっても、該リングに連係する形で楕円形状となっている。また、協働して瞼を内外から挟持する上リング１と下リング２との間（上リングと下リングの隙間の長さ）の弾性シート３の長さを、装着したさいに確実に、かつ無理なく安全に保持できる長さとして、装着前の自然状態で、２ｍｍ以上、６ｍｍ以下程度（本例においては、４ｍｍ）に設定し構成した。また、弾性シート３を形成する円筒体のシートは、拡張することにより薄くなり透明性が高まることから、拡張したさいに透明性が確保可能であれば、自然状態（拡張前の状態）では、透明、あるいは半透明である必要はない。
【００１５】
前記弾性シート３の一部に施す排液通路３１を形成するための親水性化手段としては、該排液通路３１部位に、例えばＰＶＡ（ポリビニルアルコール）のような親水性高分子を含浸し、熱処理により固定化する手段、排液通路３１部位表面に高エネルギーを照射後、照射部位から親水性分子をグラフト重合する手段、あるいは、プラズマ重合により該排液通路３１に親水性有機薄膜を形成する手段などの公知の手段があげられるが、本例においては、排液通路３１を形成する部位に吸収線量２００ｋＧｙ以上、３，０００ｋＧｙ以下の電子線を照射した後、接着を強固にするためのシランカップリング剤を添加した親水性材料（例えば、ＰＶＡ）含有のコーティング液を塗布して該排液通路３１に親水性層を形成した。
尚、親水性化手段としては、弾性シート３の表面（本例においては、シリコーンゴム表面）を親水性化処理可能な加工手段であえば、前記ＰＶＡ、ＭＰＣ（２−メタクリロイルオキシエチルホスホリルコリン）ポリマーなどの親水性高分子や酸化チタンなどの親水性材料などを利用する化学的処理（薬品処理、多層重合、グラフト重合、コーティング、印刷）でも、また、物理的処理（コロナ処理、フレーム処理、紫外線照射、プラズマ）でも良い。
【００１６】
尚、当然、前述したサイズ、素材などの記述は、特定されるのではなく目的により最適となるものが選択されれば良い。
【００１７】
前記実施の形態の開瞼器によると、前記弾性シートの最小部（上リングと、下リングの間の括れ部分）の外径が、瞼裂とほぼ同等か、それよりも大きな径に形成されており、また、該弾性シートが上リングと下リングに拡張等により取付けて固定された構造であることにより、該開瞼器の下リングを結膜嚢内部に挿入し、眼瞼に装着すると、前記上下のリング及び弾性シートの張力によって、瞼裂が外側方向に引っ張られるため、上眼瞼と下眼瞼の閉じようとする力に抗して、開瞼状態を保持することができる。また、前記弾性シートの最小部は、前記上眼瞼と下眼瞼の閉じようとする力により僅かに押し縮められるため、顔面側に位置する上リングと瞼結膜側に位置する下リングの間隔が狭まり、弾性シートによる眼瞼内外への密着度が増し、該眼瞼の一層確実な挟持ができ、また、該弾性シートによる皮膚側から瞼結膜側までの密着度も増すことで確実な装着状態が自然に形成される。
また、上リングは、可撓性を有していることにより、前記のように上下の眼瞼により弾性シートが押し縮められると、該弾性シートにリングが引っ張られることで撓み、自然に顔面形状に適合して密着するため、顔面に一層フィットした装着状態となる。
【００１８】
また、上リングを楕円、あるいは楕円類似形状とすることにより、上リングの顔面横方向への大きさを確保しても、突起部となる鼻に器具が掛かるなどにより装着を不安定にすることなく、顔面に適合させての装着ができる。一方、下リングを楕円、あるいは楕円類似形状とすることにより、眼球への縦方向の長さを変えることなく、横方向のより広い領域の視野を展開することが可能となる。
また、下リングの最大直径部を、上リングの最大直径部の２５％以上、６０％以下の長さに形成すると、下リングを眼球内に挿入するのに適正な大きさとしたときに、上リングが顔面の適正な範囲を覆うことのできる大きさとなり、本発明の用途に最も適合する器具とすることができる。例えば、これを逆に、下リングの直径を上リングの２５％未満とすると、下リングを眼球内に挿入したさいに、上リングが大きすぎ、顔面より大きくはみ出す可能性が高くなり、一方、６０％より大きくした場合は、下リングの眼球内挿入時に、上リングが十分に顔面を覆うことができない可能性が高くなってしまう。
更に、弾性シートが透明あるいは半透明であるため、術中、眼瞼や眼球の状態を確認しながらの処置が可能で、充血や乾燥などの異常状態を容易に把握して、直に対応することができる。
加えて、弾性シートの引張り伸び率を６００％以上とすると、製造段階で拡張してのリングへの取り付けが容易となり、また、装着後の前記弾性に起因する作用を無理なく達成することができ、適正な開瞼状態を獲得することができる。例えば、これを逆に、伸び率が６００％未満のものとすると、拡張しての製造が困難であることに加え、結膜嚢内部へ装着したさいの張力が大きくなることで、必要以上の開孔状態となって眼瞼に負担をかけてしまう懸念があり、また、弾性シートの柔軟性も損なわれるため装着時にシワが発生してしまい術野が確保し難くなることが懸念される。
また、本開瞼器では、顔面（皮膚）側から瞼結膜側までを覆う弾性シート部分がドレープとしての役割も担っており、睫毛の露出や、マイボーム腺分泌物等により引き起こされる感染を、別途ドレープを用いることなく防止することができる。
【００１９】
前記構成により、確実な開瞼状態の保持と、眼瞼への装着が可能となることに加え、下リングを除き全体がフレキシブルであるため、本器具を眼瞼に装着すると、装着された人に適合して無理のない形状が自然に形作られることで、一つのサイズの器具により、幅広く個体差を吸収した、眼瞼及び顔面にフィットさせての保持が可能な器具とすることができる。
また、結膜嚢内に挿入され瞼結膜側に接触する下リングの面積を小さくしても、前記作用のように眼瞼をしっかり挟持して、確実な装着を可能とすることができるため、該下リングを従来のものと比較して小さくすることができ、結果、眼球への接触面積が小さくなり、該眼球に対する負担を小さくすることができる。
更に、弾性シートが透明、あるいは半透明であるため眼瞼の状態を確認しながらの手術が可能であり、また、弾性シートにより、睫毛やマイボーム腺が覆われ、術野に出ないため、感染予防が図られるなど安全性の高い器具とすることができる。
【００２０】
更に、弾性シート３の一部に、術野に溜まる水や分泌物を外部に自然排出可能な排液通路３１を設け、器具を眼瞼に挿着するさい該排液通路３１を目尻側に向けてセットし、患者の顔を目頭側（鼻側）より目尻側が低くなるように位置させると、溜まった排液は目尻側の該排液通路３１方向に流れやすく、また、該排液通路３１を親水性とし周囲を疎水性としていることで、排液は、疎水性部分で撥かれて自然に親水性部位の通路に集液され、該通路３１を通して外部に自然排出することが可能となる。
また、排液通路３１を目尻側に位置させることは、排出された排液の処理等を考慮すると最も手術の邪魔にならない位置となっている。
【００２１】
図３は、前記実施の形態の変形例を示すドレープ付き開瞼器の底面図で、上リング、あるいは、下リングの形状が楕円形状でないものの例を示しており、図Ａが円形、図Ｂが楕円類似形状の一例として、トラック状の形状を示すものである。
【００２２】
図４は、本発明の第二の実施形態を示すドレープ付き開瞼器の全体構成図（Ａが正面図、Ｂが底面図）を示している。
本例のドレープ付き開瞼器は、器具を眼瞼に装着したさい、装着部位の顔面形状に一層フィットしやすいように、上リング１の形状を、予め円形あるいは楕円でなく、変形された液滴形状とし、また、装着したさいに、顔面の曲線に沿うように鼻側から耳側に低く下がるように傾斜させて形成したものを示している。
予め、このような形状に形成された上リング１を用いると、器具を眼瞼に装着したさいに、より確実な顔面との密着状態が得られると共に、手術中の洗眼のさい、洗眼水の逃げ道になり、手術部位に洗眼した水が一層溜まりにくい形状となっている。
上記されるように、上リング１の形状は本例（円形、楕円等を含む）に限定するものではなく、顔面装着部を考慮して適切となる、どの様な形状も採ることができる。
【００２３】
図５は、本発明の第三の実施の形態を示す一部断面の模式図を示している。
本例のドレープ付き開瞼器は、前述の第一の実施の形態と同様の上リング１、下リング２及び弾性シート３と、本例独自の形態となる、排液通路３１となる部位に付設される帯状に形成された吸引スポンジ５により構成される。
本例の吸引スポンジ５は、吸水性に富んだ医療用セルローススポンジを幅１ｍｍ以上、１５ｍｍ以下（本例においては、８ｍｍ）、長さ３０ｍｍ以上（本例においては１００ｍｍ）、厚さ１ｍｍ以上、６ｍｍ以下（本例においては、３ｍｍ）の帯状に形成するもので、予め、弾性シート３の所定の位置に取り付けられたものでも、別部品として形成され、使用時に所定の位置に取り付けて使用するものでも良い。
弾性シート３への該吸引スポンジ５の取り付けは、該吸引スポンジ５の一方端部を術野であって排液の溜まる開口部４内の辺縁に接して位置させ、他端部は、上リング１を超えて長く引き出し器具外部に位置させて、該先端は排液を収容する排液容器６内に入れられて設けられることが好ましい。また、該吸引スポンジ５は、器具を眼瞼に装着したさいに手術の邪魔にならない目尻側に位置されることが好ましい。
排液通路として吸引スポンジ５を付設することで、術野に溜まる水や分泌物は自然に該吸引スポンジ５に吸収され、毛細管現象により通路（スポンジ）を通って外部（排液容器６）に排出されることになる。また、周囲が疎水性であることで一層吸引スポンジに排液が集液される効果が期待できる。
【００２４】
次に、本例のドレープ付き開瞼器を眼瞼に装着しての使用状態に付いて、作用等含め再度まとめて説明する。
本器具を眼瞼に装着するさいは、瞼裂を大きく開き、上リング１を半分に折り曲げるように大きく撓ませると共に、下リング２の一部を手指で掴み、該下リング２を掴んだ側と反対側から結膜嚢内（瞼結膜側）に挿入し、眼瞼内に固定するが、挿入のさいには、排液通路３１が目尻側になるように挿入する。
挿入すると、該下リング２は眼球及び瞼結膜側に接触して位置し、上リング１は眼瞼を囲繞して顔面に接触して位置することになり、弾性シート３は、皮膚側から瞼結膜側に接触して位置することになる。そして、この状態で、弾性シート３により、上眼瞼及び下眼瞼は外方方向に開かれ、開瞼状態が維持され、前記弾性シート３の開口を手術のための開口部４として用い、手術が行われることになる。
そして、このように装着されると、前述の通り、弾性シート３が上リング１と下リング２に拡張して取り付けられていることにより、該弾性シート３が上下瞼の閉じようとする力に抗して、瞼裂を開いた状態に維持すると同時に、同じ上下瞼の閉じようとする力により、該弾性シート３が僅かに押しつぶされ、該シートに連結している上リング１及び下リング２が近接する方向に引っ張られることにより、リング間の距離が小さくなり、結果、上リング１と下リング２とにより眼瞼を挟持する力が強くなり、装着状態が安定したものとなり、また、上リング１が可撓性を有しているため、この引っ張りの作用により、撓む等の変形が自然におこることで、顔面との密着状態を高め、顔面形状（例えば、鼻側が高く、耳側に低く傾斜する形状）に適合した装着状態を獲得することができる。
また、排液通路３１を通って術野に溜まる排液が自然排出されることで、手術中眼球の乾燥防止や血液の洗浄のために注入され、手術部に溜まってしまう水や分泌物を外部に排液するために特に作業をする必要がない。
尚、以上全ての実施の形態を含め本発明の開瞼器は、ディスポーザブル（一回使い捨て）の器具を想定しており、従来の開瞼器で一般的な滅菌して複数回使用するものに比較して、清潔であり、使用勝手に優れ、使用のための面倒もない。
【産業上の利用可能性】
【００２５】
また、本発明は人間への手術に限定することなく、動物の手術に対しても適用することができる。
【符号の説明】
【００２６】
１．    上リング
１１．  上プレート
２．    下リング
２１．  下プレート
３．    弾性シート
３１．  親水性通路
４．    開口部
５．    吸引スポンジ
６．    排液容器
【図１】
2011055990.tif 000003
【図２】
2011055990.tif 000004
【図３】
2011055990.tif 000005
【図４】
2011055990.tif 000006
【図５】
2011055990.tif 000007